(57)【要約】【課題】  壁面における防水層立ち上がり部の雨水、紫外線、太陽熱等からの保護を高能率な施工効率の下に、低廉かつ容易に実現する。【解決手段】防水層立ち上がり端部を壁面に固定するとともに前記端部とその近傍を遮蔽して雨水の浸入あるいは紫外線、太陽光線等による劣化現象を防止するための保護金具と、保護金具により覆われる前記防水層の立ち上がり部と、この立ち上がり部を壁面に固定する係止金具とを具え、保護金具は、充填されるシーリング材を壁面等に当接させるためのシーリング材保持部と、防水層立ち上がり端部を壁面との間で覆うカバー部と、前記シーリング材保持部と前記カバー部との中間に位置する前記両者の連結部とからなり、前記係止金具は防水層の立ち上がり部に圧接される半球状の押さえヘッドと、防水層      の立ち上がり部に係止される爪部を具えたプレートとからなり、保護金具を前記連結部を介して壁面に固定するようにした壁面における防水層立ち上がり端部保護構造である。【選択図】  図１
2005061179.tif 000002
【特許請求の範囲】
【請求項１】
床面から壁面まで延伸される防水層の立ち上がり部の雨水、紫外線、太陽熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記保護金具により覆われる前記防水層の立ち上がり部と、この立ち上がり部を壁面に固定する係止金具とを具え、
前記保護金具は、充填されるシーリング材を壁面等に当接させるためのシーリング材保持部と、防水層立ち上がり端部を壁面との間で覆うカバー部と、前記シーリング材保持部と前記カバー部との中間に位置する前記両者の連結部とからなり、
前記係止金具は防水層の立ち上がり部に圧接される半球状の押さえヘッドと、防水層      の立ち上がり部に係止される爪部を具えたプレートとからなり、保護金具を前記連結部を介して壁面に固定するようにしたことを特徴とする壁面における防水層立ち上がり端部保護構造。
【請求項２】
請求項１記載の防水層立ち上がり端部保護構造において、保護金具における前記シーリング材保持部は壁面に対向する側に開口する溝部で構成するとともに、前記カバー部は壁面側から外方に向けて傾斜する頂部とこの頂部の外側端から垂下するカバープレートで構成し、前記溝部の外側端には水切りを垂下させたことを特徴とする壁面における防水層立ち上がり端部保護構造。
【請求項３】
請求項２記載の防水層立ち上がり端部保護構造において、前記溝部は断面ほぼＹ字形状になすとともに、前記連結部は前記Ｙ字形状溝の下側開口端とカバー部の前記頂部の壁面側端部とを連結し壁面に当接可能に形成し所要数のビス孔を具えることを特徴とする壁面における防水層立ち上がり端部保護構造。
【請求項４】
壁面における防水層立ち上がり端部とその近傍を覆って雨水の浸入あるいは紫外線、太陽光線等による劣化現象を防止するための保護金具であって、
前記保護金具は、充填されるシーリング材を壁面等に当接させるためのシーリング材保持部と、防水層立ち上がり端部を壁面との間で覆うカバー部と、前記シーリング材保持部と前記カバー部との中間に位置する前記両者の連結部とからなることを特徴とする防水層立ち上がり端部用の保護金具。
【請求項５】
請求項４記載の保護金具において、前記シーリング材保持部は壁面に対向する側に開口する溝部で構成するとともに、前記カバー部は壁面側から外方に向けて傾斜する頂部とこの頂部の外側端から垂下するカバープレートで構成し、さらに前記溝部の外側端には水切りを垂下させたことを特徴とする防水層立ち上がり端部用の保護金具。
【請求項６】
請求項５記載の保護金具において、前記溝部は断面ほぼＹ字形状になすとともに、前記連結部は前記Ｙ字形状溝の下側開口端とカバー部の前記頂部の壁面側端部とを連結し壁面に当接可能に形成し所要数のビス孔を具えるようにしたことを特徴とする防水層立ち上がり端部用の保護金具。
【請求項７】
請求項５記載の保護金具において、前記溝部は断面ほぼＵ字形状になすとともに、前記連結部は前記Ｕ字形状溝の下側開口端とカバー部の前記頂部の壁面側端部とを連結し壁面に当接可能に形成し所要数のビス孔を具えるようにしたことを特徴とする防水層立ち上がり端部用の保護金具。
【発明の詳細な説明】
【技術分野】
【０００１】
本願発明は、建造物の屋上等において、壁面まで延伸された防水層の端部保護構造ならびにこれに用いられる一方その他各種の用途に供し得る保護金具に関するものである。
【背景技術】
【０００２】
屋上の周壁その他の壁面まで延伸された防水層の立ち上がりの保護構造としては、従来図６に示すようなものが知られている。
図において、１は屋上のコンクリート床面、２は屋上の四周に形成される壁面、３は防水層で、この防水層３はコンクリート床面１から延伸され壁面２上に立ち上がり部４が形成されている。
立ち上がり部４の端部には第1金具５が沿設され、ビスにより前期端部は第1金具５と壁面２との間で挟持固定されている。  立ち上がり部４の端部と第1金具５の接合端面にはシール部材が添着されて第1シール６が形成されている。
【０００３】
また、７は前記第1シールおよびその近傍を遮蔽して保護する第2金具であり、シール手段としてのゴムパッキング８を介して壁面２に固定されている。
このようにして、防水層３の壁面２における立ち上がり部4の端部には、言わば二重シールが施されている。このような二重シールは、壁面を伝わる大量の雨水や、紫外線、太陽熱から立ち上がり部4の端部のシーリングを保護するためには必要不可欠であり、上記で、例えば、第1シール６の保護手段としての第2金具等を設けず、第1シール６のみを単独で設けた場合、第1シール６部分の耐候性は著しく低下し、極めて短時間のうちにシール部分が劣化し雨水が浸入してしまう。
【特許文献１】特開平２−２８５１３９号公報
【発明の開示】
【発明が解決しようとする課題】
【０００４】
しかしながら、上記従来の技術には次のような不都合があった。
図７に示す保護構造では、先ず、防水層３の立ち上がり部４の端部を第1金具５によりコンクリート壁面２に固定して第1シール６を形成し、次いで第2金具７をシール手段としてのゴムパッキング８を介して壁面２に固定すると言うように２工程を必要とし、使用する金具も２部材であるなど施工コスト、施工効率の点で問題があった。
図７に示す保護構造の実際の施工は、先ず防水工事専門メーカーが防水層の敷設を担当し、防水層３の立ち上がり部４の端部を第1金具５によりコンクリート壁面２に固定して第1シール６を形成するまでを行い、防水工事終了とされる。これ以降は防水工事とは切り離して全く別種の工事として扱われ、防水工事の完了を待って、防水工事専門メーカーとは別の施工業者が第2金具７をシール手段としてのゴムパッキング８を介して壁面２に固定する作業を担当するようになっている。
しかしながら、工事をこのように区分してしまうと、工期の遅れ、施工コストの増加等の不都合が生じるばかりでなく、防水の安全性も確保できない虞が生じる。  すなわち、第1シール６を保護するための第2金具７をシール手段としてのゴムパッキング８等の取り付け作業は防水工事の重要な部分であり、この作業を防水分野の全般に通暁する防水専門メーカーが担当してこそ防水の安全性の確保が実現できるのである。
【課題を解決するための手段】
【０００５】
本願発明は、床面から壁面まで延伸される防水層の立ち上がり部の雨水、紫外線、太陽熱等に対する保護構造であって、防水層立ち上がり端部を壁面に固定するとともに前記端部とその近傍を遮蔽して雨水の浸入あるいは紫外線、太陽光線等による劣化現象を防止するための保護金具と、前記保護金具により覆われる前記防水層の立ち上がり部と、この立ち上がり部を壁面に固定する係止金具とを具え、
前記保護金具は、充填されるシーリング材を壁面等に当接させるためのシーリング材保持部と、防水層立ち上がり端部を壁面との間で覆うカバー部と、前記シーリング材保持部と前記カバー部との中間に位置する前記両者の連結部とからなり、
前記係止金具は防水層の立ち上がり部に圧接される半球状の押さえヘッドと、防水層      の立ち上がり部に係止される爪部を具えたプレートとからなり、保護金具を前記連結部を介して壁面に固定するようにした、壁面における防水層立ち上がり端部保護構造を提供することにより上記従来の課題を解決しようとするものである。
【０００６】
また、上記の防水層立ち上がり端部保護構造において、被覆保護金具における前記シーリング材保持部は壁面に対向する側に開口する溝部で構成するとともに、前記カバー部は壁面側から外方に向けて傾斜する頂部とこの頂部の外側端から垂下するカバープレートで構成し、前記溝部の外側端には水切りを垂下させて構成することがある。
【０００７】
さらに、上記の防水層立ち上がり端部保護構造において、前記溝部は断面ほぼＹ字形状になすとともに、前記連結部は前記Ｙ字形状溝の下側開口端とカバー部の前記頂部の壁面側端部とを連結し壁面に当接可能に形成し所要数のビス孔を具える構成となすことがある。
【０００８】
本願発明はまた、  壁面における防水層立ち上がり端部とその近傍を覆って雨水の浸入あるいは紫外線、太陽光線等による劣化現象を防止するための保護金具において、この保護金具を、充填されるシーリング材を壁面等に当接させるためのシーリング材保持部と、防水層立ち上がり端部を壁面との間で覆うカバー部と、前記シーリング材保持部と前記カバー部との中間に位置する前記両者の連結部とにより構成して上記従来の課題をかいけつ使用とするものである。
【０００９】
また、上記の保護金具において、前記シーリング材保持部は壁面に対向する側に開口する溝部で構成するとともに、前記カバー部は壁面側から外方に向けて傾斜する頂部とこの頂部の外側端から垂下するカバープレートで構成し、さらに前記溝部の外側端には水切りを垂下させて構成することがある。
【００１０】
さらに、上記の保護金具において、前記溝部は断面ほぼＹ字形状になすとともに、前記連結部は前記Ｙ字形状溝の下側開口端とカバー部の前記頂部の壁面側端部とを連結し壁面に当接可能に形成し所要数のビス孔を具えるように構成することがある。
【００１１】
またさらに、上記の保護金具において、前記溝部は断面ほぼＵ字形状になすとともに、前記連結部は前記Ｕ字形状溝の下側開口端とカバー部の前記頂部の壁面側端部とを連結し壁面に当接可能に形成し所要数のビス孔を具えるように構成することがある。
【発明の効果】
【００１２】
壁面における防水層立ち上がり端部の保護が、保護金具にシーリング材を充填して壁面に圧接して位置決めした上でビス止め等により固定するという簡単な作業で実現できるので、適正な保護が容易に為し得るので施工効率の向上し、施工コストの低減が実現できる。
また、施工が容易であるから、防水メーカーが担当可能となり防水に係る信頼性が向上する。
【発明を実施するための最良の形態】
【００１３】
保護金具は、アルミの押し出し成形により所定の長尺に形成し、施工現場等で必要な長さに調整するようにする。アルミ材の肉厚は1mm前後が望ましい。また、保護金具の全長は40mm前後、奥行き、すなわち壁面位置から金具の外端までの距離は12mm前後とするのが望ましい。  このような寸法を採用することにより、種々の箇所に対応して使用することができ、特に防水層立ち上がりが低い箇所での施工には最適である。
【実施例１】
【００１４】
図１は、壁面における防水層立ち上がり端部保護構造を示す一部切欠断面図である。
この保護構造は床面から壁面まで延伸される防水層の立ち上がり部を、雨水、紫外線、太陽熱等から保護しており、図において、２０は防水層３の立ち上がり端部３１をコンクリート壁面２に固定するとともに前記端部３１とその近傍を遮蔽して雨水の浸入あるいは紫外線、太陽光線等による劣化現象を防止するための保護金具である。また、４０は前記保護金具２０覆われる防水層立ち上がり部を壁面２に固定する係止金具である。  また、５０は前記保護金具２０に保持されて壁面２に当接するシーリング材である。そして、保護金具２０、係止金具４０はそれぞれビスで壁面２に固定されている。
【００１５】
図２は、保護金具２０の一部切欠斜視図、図３は同断面図である。  図示のように、前記保護金具２０は、充填されるシーリング材を壁面等に当接させるためのシーリング材保持部２１と、防水層立ち上がり端部を壁面との間で覆うカバー部２２と、前記シーリング材保持部２１と前記カバー部２２との中間に位置する前記両者の連結部２３とからなり、
前記シーリング材保持部２１は壁面に対向する側に開口する断面Ｙ字形状の溝部で構成され、また前記カバー部２２は壁面側から外方に向けて傾斜する頂部２２ａとこの頂部２２ａの外側端から垂下するカバープレート２２ｂで構成されていて、前記溝部２１の外側端には水切り２１ａを垂下させている。そして、前記連結部２３にはビスの挿通孔２３ａが形成されている。なお、この実施例において、保護金具２０はアルミ材の押し出し成形により所定の長尺状に形成されており、施工箇所の状況にあわせて施工現場で必要な長さに調整する。  また、保護金具相互の連結は、金具の形状に合わせたジョイント板（不図示）を金具の裏側（図３で左側）に嵌め込むことにより行う。
【００１６】
図４は、図１に示す係止金具４０の断面図である。  この係止金具４０は防水層の立ち上がり部に圧接される半球状の押さえヘッド４０ａと、防水層の立ち上がり部に係止される爪部４０ｂを具えたプレート４０ｃとからなり、図１に示すようにビス止めにより防水層の壁面における立ち上がり部を壁面に固定するようになっている。この固定状態において押さえヘッド４０ａおよび爪部４０ｂは弾性を有する防水層部分に圧入状態になり防水層をしっかりと把持することになる。
【００１７】
図１において、実際の施工は、まず、防水層３の壁面における立ち上がり部を前記係止金具４０により壁面に固定し、次いで保護金具２０の溝部２１にシーリング材を充填した後、保護金具２０を壁面にビスで固定する。
【００１８】
図５は、保護金具２０の他の使用例を示す一部切欠断面図である。図において、Ａは防水層３の壁面における立ち上がり部である。  このように露出した立ち上がり部Ａは、経年変化により汚れ、色褪せ等が発生し見映えが悪くなるばかりか、雨水、紫外線、太陽熱の影響により防水性能に支障をきたす惧れが発生する。  このような場合、保護金具２０の使用により適正な改修工事を実現できる。すなわち、保護金具２０とこの保護金具２０と壁面２との間に挟持されるボードＢにより前記防水層立ち上がり部Ａを遮蔽して外観の更新、防水層立ち上がり部の保護を容易に行うことができる。施工は、まず、保護金具２０を前述の手順で壁面の所要箇所に取り付け、次いで、ボードＢを壁面２とカバープレート２２ｂの間に挿し込んで終了する。
【００１９】
図６は、保護金具２０の他の実施例を示す断面図である。この実施例では、連結部２３は溝部２１の下端（図で右端）から垂下しカバープレート２２ｂに一体に連なっており、ビス孔２３ａは連結部２３に形成されている。他の構成は図２、図３に示すものと同一である。
【図面の簡単な説明】
【００２０】
【図１】壁面における防水層立ち上がり端部保護構造を示す一部切欠断面図である。
【図２】保護金具２０の一部切欠斜視図、図３は同断面図である。
【図３】同上断面図である。
【図４】図１に示す係止金具４０の断面図である。
【図５】保護金具２０の他の使用例を示す一部切欠断面図である。
【図６】保護金具２０の他の実施例を示す断面図である。
【図７】従来例を示す断面図である。
【符号の説明】
【００２１】
Ａ        塗膜防水構造
２        コンクリート壁面
３        防水層
２０      保護金具
２１      溝部
２２      カバー部
２２ａ    頂部
２２ｂ    カバープレート
２３      連結部
３１      防水層立ち上がり端部
４０      係止金具  
５０      シーリング材
【図１】
2005061179.tif 000003
【図２】
2005061179.tif 000004
【図３】
2005061179.tif 000005
【図４】
2005061179.tif 000006
【図５】
2005061179.tif 000007
【図６】
2005061179.tif 000008
【図７】
2005061179.tif 000009